(57)【要約】【課題】簡単な構成によって配索経路を規制することのできるワイヤハーネス用経路規制部材及びワイヤハーネスを提供する。【解決手段】経路規制部材２０は、電線を備えるワイヤハーネスに適用され、電線を収容するとともに電線の経路を規制する。経路規制部材２０は、半割円筒状をなし、互いに付き合わされることで円筒状をなす金属製の一対の半割体３１，３２と、一対の半割体３１，３２の外周を締め付ける締付バンド４０とを備えている。一対の半割体３１，３２の付き合わせ部には、一対の半割体３１，３２の周方向において隣り合うとともに嵌合孔３５を構成する一対の嵌合凹部３３，３４が設けられている。締付バンド４０の内周面には、嵌合孔３５に嵌合される嵌合凸部４５が設けられている。【選択図】図３
2019165578.tif 000002
【特許請求の範囲】
【請求項１】
電線を備えるワイヤハーネスに適用され、前記電線を収容するとともに前記電線の経路を規制するワイヤハーネス用経路規制部材であって、
半割筒状をなし、互いに付き合わされることで筒状をなす金属製の一対の半割体と、
前記一対の半割体の外周を締め付ける締付バンドと、を備え、
前記一対の半割体における互いに付き合わされる付き合わせ部の各々と前記締付バンドとが凹凸の関係により嵌合されている、
ワイヤハーネス用経路規制部材。
【請求項２】
前記一対の半割体の前記付き合わせ部には、前記一対の半割体の周方向において隣り合うとともに嵌合孔を構成する一対の嵌合凹部が設けられており、
前記締付バンドの内周面には、前記嵌合孔に嵌合される嵌合凸部が設けられている、
請求項１に記載のワイヤハーネス用経路規制部材。
【請求項３】
前記締付バンドの外周面には、クリップ部が突設されている、
請求項１または請求項２に記載のワイヤハーネス用経路規制部材。
【請求項４】
絶縁被覆された芯線を有する電線と、
請求項１〜請求項３のいずれか一項に記載のワイヤハーネス用経路規制部材と、を備える、
ワイヤハーネス。
【発明の詳細な説明】
【技術分野】
【０００１】
本発明は、ワイヤハーネス用経路規制部材及びワイヤハーネスに関する。
【背景技術】
【０００２】
従来、例えば車両用のワイヤハーネスには、所定の配索経路に沿って電線を配索するためのプロテクタが設けられている（例えば、特許文献１参照）。同文献のプロテクタは、電線を収容可能な凹部を有するプロテクタ本体と、凹部の開口を閉塞する蓋部材とを備えている。プロテクタ本体及び蓋部材は共に合成樹脂材料により形成されている。所定の配索経路に対応した形状のプロテクタを用いることにより、プロテクタ内に収容された電線の経路が規制される。
【先行技術文献】
【特許文献】
【０００３】
【特許文献１】特開２０１６−４６９４３号公報
【発明の概要】
【発明が解決しようとする課題】
【０００４】
ところで、特許文献１に記載のワイヤハーネスのプロテクタは、所定の配索経路に対応した形状を有している。そのため、配索経路毎に形状の異なるプロテクタを用いる必要がある。しかしながら、プロテクタ本体及び蓋部材は合成樹脂材料を射出成形することにより形成されていることから、プロテクタの種類の数だけ射出成形型が必要となるといった問題が生じる。
【０００５】
本発明の目的は、簡単な構成によって配索経路を規制することのできるワイヤハーネス用経路規制部材及びワイヤハーネスを提供することにある。
【課題を解決するための手段】
【０００６】
上記目的を達成するためのワイヤハーネス用経路規制部材は、電線を備えるワイヤハーネスに適用され、前記電線を収容するとともに前記電線の経路を規制するものであって、半割筒状をなし、互いに付き合わされることで筒状をなす金属製の一対の半割体と、前記一対の半割体の外周を締め付ける締付バンドと、を備え、前記一対の半割体における互いに付き合わされる付き合わせ部の各々と前記締付バンドとが凹凸の関係により嵌合されている。
【０００７】
同構成によれば、金属製の一対の半割体によって電線を挟み込んで収容することにより、電線の経路が規制される。このため、半割体を曲げ加工することにより、所定の配索経路に対応した形状に容易に加工することができる。
【０００８】
ここで、上記構成によれば、一対の半割体における各付き合わせ部と締付バンドとが凹凸の関係により嵌合されることから、半割体同士の長さ方向や径方向に対する相対変位が規制される。このため、半割体同士の相対変位を規制する規制部を半割体の内周側に設けなくて済む。これにより、一対の半割体の内部空間が規制部によって制限されることを抑制でき、電線を収容するための半割体の大型化を抑制することができる。
【０００９】
また、一対の半割体の各付き合わせ部に凹部または凸部が設けられることから、各付き合わせ部の凹部同士または凸部同士を位置合わせすることにより、半割体同士を付き合わせる際の位置合わせを容易に行うことができる。
【００１０】
したがって、簡単な構成によって配索経路を規制することができる。
上記ワイヤハーネス用経路規制部材において、前記一対の半割体の前記付き合わせ部には、前記一対の半割体の周方向において隣り合うとともに嵌合孔を構成する一対の嵌合凹部が設けられており、前記締付バンドの内周面には、前記嵌合孔に嵌合される嵌合凸部が設けられていることが好ましい。
【００１１】
同構成によれば、一対の半割体の付き合わせ部に対して切削加工を行うことにより嵌合凹部を容易に形成することができる。したがって、一対の半割体を容易に形成することができる。
【００１２】
上記ワイヤハーネス用経路規制部材において、前記締付バンドの外周面には、クリップ部が突設されていることが好ましい。
同構成によれば、締付バンドの外周面に突設されたクリップ部を取付対象に対して嵌合させることにより、ワイヤハーネスを取付対象に対して取り付けることができる。
【００１３】
上記目的を達成するためのワイヤハーネスは、電線と、上記いずれか１つに記載のワイヤハーネス用経路規制部材と、を備える。
同構成によれば、上記ワイヤハーネス用経路規制部材のいずれか１つの作用効果と同様な作用効果を奏することができる。
【発明の効果】
【００１４】
本発明によれば、簡単な構成によって配索経路を規制することができる。
【図面の簡単な説明】
【００１５】
【図１】ワイヤハーネス用経路規制部材及びワイヤハーネスの一実施形態について、車両に配索された状態のワイヤハーネスを示す側面図。
【図２】図１のＡ部を拡大して示す斜視図。
【図３】同実施形態の経路規制部材について、（ａ）は第１半割体及び第２半割体を互いに離間して示す斜視図、（ｂ）は第１半割体及び第２半割体を互いに付き合わせた状態を示す斜視図、（ｃ）は第１半割体及び第２半割体の外周に締付バンドを取り付ける途中の状態を示す斜視図。
【図４】同実施形態の締付バンドについて、（ａ）は真っ直ぐ伸びた状態を示す側面図、（ｂ）は、環状に丸められた状態を示す側面図。
【図５】変形例の締付バンドを示す側面図。
【発明を実施するための形態】
【００１６】
以下、図１〜図４を参照して、一実施形態について説明する。
図１に示すように、ワイヤハーネス１０は、例えばハイブリッド車や電気自動車などの車両９０の床下を含む経路に配索されるものであり、車両９０の前部に配置されるモータ９１と、車両９０の後部に配置されるインバータ９２とを電気的に接続する。
【００１７】
図２に示すように、ワイヤハーネス１０は、電線１１と、電線１１を収容するとともに電線１１の経路を規制する経路規制部材２０とを備えている。
電線１１は、芯線１２と芯線１２の外周を覆う絶縁被覆１３とを有している。芯線１２は、例えば、銅合金からなる複数の金属素線を撚り合わせて形成される撚り線である。絶縁被覆１３は、ポリ塩化ビニル（ＰＶＣ）などの絶縁体である。
【００１８】
経路規制部材２０は、半割円筒状をなし、互いに付き合わされることで円筒状の筒状部材３０を構成する金属製の一対の半割体（第１半割体３１、第２半割体３２）と、半割体３１，３２の外周を締め付ける合成樹脂製の複数（本実施形態では３つ）の締付バンド４０とを備えている。
【００１９】
次に、筒状部材３０及び締付バンド４０について詳細に説明する。なお、以降において、筒状部材３０（第１半割体３１、第２半割体３２）の長さ方向及び周方向を単に長さ方向及び周方向として説明する。
【００２０】
＜筒状部材３０＞
図２に示すように、筒状部材３０には、長さ方向に間隔をおいて位置する３つのストレート部（第１ストレート部３０ａ，第２ストレート部３０ｂ，第３ストレート部３０ｃ）が設けられている。また、第１ストレート部３０ａと第２ストレート部３０ｂとの間には、第１屈曲部３０ｄが設けられている。また、第２ストレート部３０ｂと第３ストレート部３０ｃとの間には、第２屈曲部３０ｅが設けられている。
【００２１】
図３（ａ）〜（ｃ）に示すように、第１ストレート部３０ａにおける第１半割体３１及び第２半割体３２の付き合わせ部には、周方向において隣り合う一対の嵌合凹部（第１嵌合凹部３３、第２嵌合凹部３４）が設けられている。第１嵌合凹部３３及び第２嵌合凹部３４は、側面視長方形状をなしている。
【００２２】
図３（ｂ），（ｃ）に示すように、第１嵌合凹部３３と第２嵌合凹部３４とによって側面視長方形状の嵌合孔３５が構成される。
＜締付バンド４０＞
図４（ａ），（ｂ）に示すように、締付バンド４０は、所謂結束バンドであり、周方向に沿って延在するバンド本体４１、及びバンド本体４１の基端部に設けられ、バンド本体４１を係止するとともにバンド本体４１による締め付け度合を調節可能な係止部４３を有している。また、バンド本体４１の内周面には、筒状部材３０の嵌合孔３５に嵌合する嵌合凸部４５が設けられている。
【００２３】
図４（ａ）に示すように、バンド本体４１の先端部の外周面には、バンド本体４１の幅方向に沿って延びる複数の係止溝４２（所謂セレーション）がバンド本体４１の長さ方向において所定の間隔をおいて設けられている。
【００２４】
係止部４３は、バンド本体４１が挿通可能な挿通口４４を有している。挿通口４４の内面には、バンド本体４１の係止溝４２に係止される係止爪４４ａが設けられている。係止部４３に対するバンド本体４１の挿通度合に応じて、バンド本体４１による筒状部材３０（第１半割体３１、第２半割体３２）の締め付け度合が調整可能である。
【００２５】
図４（ｂ）に示すように、締付バンド４０の嵌合凸部４５は、筒状部材３０の嵌合孔３５に嵌合される。
なお、本実施形態では、筒状部材３０の各ストレート部３０ａ，３０ｂ，３０ｃに嵌合孔３５（図示略）が１つ設けられている。
【００２６】
また、図２に示すように、各嵌合孔３５に対応する部分の外周が締付バンド４０によって締め付けられている。
本実施形態の作用効果について説明する。
【００２７】
（１）経路規制部材２０は、半割円筒状をなし、互いに付き合わされることで円筒状をなす金属製の一対の半割体３１，３２と、一対の半割体３１，３２の外周を締め付ける締付バンド４０とを備えている。一対の半割体３１，３２の付き合わせ部には、一対の半割体３１，３２の周方向において隣り合うとともに嵌合孔３５を構成する一対の嵌合凹部３３，３４が設けられている。締付バンド４０の内周面には、嵌合孔３５に嵌合される嵌合凸部４５が設けられている。
【００２８】
こうした構成によれば、金属製の一対の半割体３１，３２によって電線１１を挟み込んで収容することにより、電線１１の経路が規制される。このため、半割体３１，３２を曲げ加工することにより、所定の配索経路に対応した形状に容易に加工することができる。
【００２９】
ここで、上記構成によれば、一対の半割体３１，３２における各付き合わせ部に設けられた一対の嵌合凹部３３，３４（嵌合孔３５）と締付バンド４０の嵌合凸部４５とが凹凸の関係により嵌合されることから、半割体３１，３２同士の長さ方向や径方向に対する相対変位が規制される。このため、半割体３１，３２同士の相対変位を規制する規制部を半割体の内周側に設けなくて済む。これにより、一対の半割体３１，３２の内部空間が規制部によって制限されることを抑制でき、電線１１を収容するための半割体３１，３２の大型化を抑制することができる。
【００３０】
また、一対の半割体３１，３２の各付き合わせ部に嵌合凹部３３，３４が設けられることから、各嵌合凹部３３，３４同士を位置合わせすることにより、半割体３１，３２同士を付き合わせる際の位置合わせを容易に行うことができる。
【００３１】
したがって、簡単な構成によって配索経路を規制することができる。
更に、上記構成によれば、一対の半割体３１，３２の付き合わせ部に対して切削加工を行うことにより嵌合凹部３３，３４を容易に形成することができる。したがって、一対の半割体３１，３２を容易に形成することができる。
【００３２】
（２）ワイヤハーネス１０は、絶縁被覆された芯線１２を有する電線１１と、経路規制部材２０とを備えている。
こうした構成によれば、上記作用効果（１）と同様な作用効果を奏することができる。
【００３３】
本実施形態は、以下のように変更して実施することができる。本実施形態及び以下の変更例は、技術的に矛盾しない範囲で互いに組み合わせて実施することができる。
・図５に示すように、締付バンド４０の外周面に、車両などの取付対象に対して締付バンド４０を取り付けるためのクリップ部４６を突設させることもできる。この場合、クリップ部４６を取付対象に対して組み付けることにより、ワイヤハーネス１０を取付対象に対して取り付けることができる。
【００３４】
・上記実施形態では、バンド本体４１による締め付け度合を調節可能な係止部４３を有する締付バンド４０について説明したが、締付バンドは、こうした調節機能を有していないものであってもよい。
【００３５】
・第１嵌合凹部３３及び第２嵌合凹部３４の形状は、側面視長方形状に限定されるものではなく、例えば側面視半円形状であってもよい。この場合、嵌合孔は側面視円形状となることから、締付バンドの内周面に嵌合孔に嵌合する円柱状の嵌合凸部を設ければよい。
【００３６】
・第１嵌合凹部３３及び第２嵌合凹部３４は各半割体３１，３２を厚さ方向に貫通するものに限定されるものではなく、各半割体３１，３２の外周面に凹設されるものであってもよい。
【００３７】
・第１半割体３１及び第２半割体３２の付き合わせ部に、周方向において隣り合うとともに外周側に突出する一対の嵌合凸部を設け、締付バンドに上記嵌合凸部に嵌合する嵌合孔あるいは嵌合凹部を設けるようにしてもよい。
【００３８】
・締付バンドは金属材料により形成されていてもよい。
【符号の説明】
【００３９】
１０…ワイヤハーネス、１１…電線、１２…芯線、１３…絶縁被覆、２０…経路規制部材、３０…筒状部材、３０ａ，３０ｂ，３０ｃ…ストレート部、３０ｄ，３０ｅ…屈曲部、３１…第１半割体、３２…第２半割体、３３…第１嵌合凹部、３４…第２嵌合凹部、３５…嵌合孔、４０…締付バンド、４１…バンド本体、４２…係止溝、４３…係止部、４４…挿通口、４４ａ…係止爪、４５…嵌合凸部、４６…クリップ部、９０…車両、９１…モータ、９２…インバータ。
【図１】
2019165578.tif 000003
【図２】
2019165578.tif 000004
【図３】
2019165578.tif 000005
【図４】
2019165578.tif 000006
【図５】
2019165578.tif 000007